(57)【要約】 【課題】安定した発電及び蓄電機能を有するコンタクトレンズ型のウエアラブルデバイスを提供する。【解決手段】ウエアラブルデバイスは、磁性材料で形成された疑似まつ毛と、コンタクトレンズとを含み、前記コンタクトレンズは、放射状に配置される複数の導電線と、前記導電線に接続される薄膜キャパシタとを有し、前記薄膜キャパシタは、前記コンタクトレンズ及び前記疑似まつ毛の装着時に瞬きによって前記導電線に生じる誘導電流を蓄積する。【選択図】図１
2016126183.tif 000002
【特許請求の範囲】
【請求項１】
磁性材料で形成された疑似まつ毛と、
コンタクトレンズと
を含み、前記コンタクトレンズは、
放射状に配置される複数の導電線と、
前記導電線に接続される薄膜キャパシタと
を有し、
前記薄膜キャパシタは、前記コンタクトレンズ及び前記疑似まつ毛の装着時に瞬きによって前記導電線に生じる誘導電流を蓄積することを特徴とするウエアラブルデバイス。
【請求項２】
前記導電線は、前記コンタクトレンズの中心領域を除いて放射状に配置される直線配線であることを特徴とする請求項１に記載のウエアラブルデバイス。
【請求項３】
前記導電線は、前記コンタクトレンズの中心領域を除いて放射状に配置されるジグザグ配線であることを特徴とする請求項１に記載のウエアラブルデバイス。
【請求項４】
前記コンタクトレンズは、前記薄膜キャパシタ及び前記導電線を覆うレンズ層を有することを特徴をする請求項１に記載のウエアラブルデバイス。
【請求項５】
前記薄膜キャパシタは、誘電体膜と、前記誘電体膜を膜厚方向に挟む一対の光透過性の電極膜とを有し、前記誘電体膜がレンズ層を兼ねることを特徴とする請求項１に記載のウエアラブルデバイス。
【請求項６】
前記コンタクトレンズは前記薄膜キャパシタに接続される制御回路とアンテナを有し、
前記制御回路は、前記薄膜キャパシタに一定量の電荷が蓄積されたときに前記アンテナから信号を送信することを特徴とする請求項１に記載のウエアラブルデバイス。
【請求項７】
前記コンタクトレンズは、前記薄膜キャパシタに接続される制御回路と、センサーと、記憶回路と、アンテナを有し、
前記記憶回路は前記センサーにより計測された情報を保持し、
前記制御回路は、前記情報を所定のタイミングで前記アンテナから送信することを特徴とする請求項１に記載のウエアラブルデバイス。
【請求項８】
請求項1〜７のウエアラブルデバイスで用いられるコンタクトレンズ。
【請求項９】
請求項１〜７のウエアラブルデバイスで用いられる疑似まつ毛であって、
円弧状の装着部と、
前記装着部から延びる磁性体まつ毛と、
を有する疑似まつ毛。
【発明の詳細な説明】
【技術分野】
【０００１】
本願は発電及び蓄電が可能なウエアラブルデバイスに関する。
【背景技術】
【０００２】
ワイヤレスヘルスケアの新しい市場が立ち上がりつつある。たとえば、ウエアラブルデバイスを用いてヘルスケア情報を取得し、その情報をクラウドサーバに蓄積して種々のヘルスケアサービスを提供するビジネス形態が予想される。
【０００３】
ウエアラブルデバイスにより健康ログ情報を取得して自己の健康管理に役立てたり、医療機関が患者に装着させて生体ログの取得や投薬タイミングの決定を行うことができる。また、介護の場面で介護サポートを的確に行うためのツールとしてもウエアラブルデバイスを活用できる。生体ログをより簡単に取得することができれば、より多くのデータをクラウドサーバに蓄積して、医療やヘルスケアのデータ解析も進むと考えられる。
【０００４】
これまで機器が大きく嵩張っていたヘルスケア端末を小型化してウエアラブルにすることで、携帯性が向上し、生体ログの取得が簡便になる。さらに、ワイヤレスの通信トランシーバと組み合わせることで、リアルタイムに計測と計測結果の利用管理が可能になる。
【０００５】
ウエアラブルデバイスの一例として、光電気変換による発電及び蓄電部と通信層とを備えたコンタクトレンズや（たとえば、特許文献１参照）、内蔵アンテナを有するコンタクトレンズが提案されている（たとえば、特許文献２参照）。また、血糖センサと無線通信手段を内蔵して、涙に含まれるグルコースを監視して血糖値を管理するスマートコンタクトレンズや（たとえば、非特許文献１参照）、コンタクトレンズに内蔵される球面状の液晶ディスプレイが開発されている（たとえば、非特許文献２参照）。
【先行技術文献】
【特許文献】
【０００６】
【特許文献１】特開２０１４−３２３１６号公報
【特許文献２】特開２０１３−１５６６３２号公報
【非特許文献】
【０００７】
【非特許文献１】http://japanese.engadget.com/2014.01.16.google-led/
【非特許文献２】http:/techtech.info/2013.08/.post086.html
【発明の概要】
【発明が解決しようとする課題】
【０００８】
センサ、アンテナ、液晶ディスプレイ等を内蔵するコンタクトレンズ型のデバイスは、半導体プロセスやＭＥＭＳ（Micro Electro Mechanical Systems）プロセスによって製造することができる。しかし、これらの機能素子を動作させるための電源に関しては開発の余地が残されている。電源プラグを用いてコンタクトレンズ型デバイスに充電することはほぼ不可能である。非装着時に外部から無線給電することも考えられるが、専用の給電装置が必要になる上に、煩雑である。光電気変換による発電及び蓄電構造は、光のあるところでしか使用できない。
【０００９】
そこで、安定した発電及び蓄電機能を有するウエアラブルデバイスの提供を課題とする。
【課題を解決するための手段】
【００１０】
ひとつの態様では、ウエアラブルデバイスは、
磁性材料で形成された疑似まつ毛と、
コンタクトレンズと
を含み、前記コンタクトレンズは、
放射状に配置される複数の導電線と、
前記導電線に接続される薄膜キャパシタと
を有し、
前記薄膜キャパシタは、前記コンタクトレンズ及び前記疑似まつ毛の装着時に瞬きによって前記導電線に生じる誘導電流を蓄積することを特徴とする。
【発明の効果】
【００１１】
安定した発電及び蓄電機能を有するウエアラブルデバイスが実現する。
【図面の簡単な説明】
【００１２】
【図１】第１実施形態のコンタクトレンズ型のウエアラブルデバイスの概略図である。
【図２】図１のコンタクトレンズの作製手法を説明する図である。
【図３】第１実施形態のウエアラブルデバイスの装着例を示す図である。
【図４】図１のウエアラブルデバイスの起電力を示す図である。
【図５】種々の無線通信方式でのデータレートと消費電力の関係を示す図である。
【図６】第１実施形態のウエアラブルデバイスのセンサーデバイスへの適用例を示す図である。
【図７】第２実施形態のコンタクトレンズ型ウエアラブルデバイスを説明する図である。
【図８】第２実施形態の効果を説明する図である。
【図９】第２実施形態の効果を説明する図である。
【図１０】実施形態のウエアラブルデバイスのヘルスケアへの応用例を示す図である。
【図１１】実施形態のウエアラブルデバイスのヘルスケアへの応用例を示す図である。
【発明を実施するための形態】
【００１３】
＜第１実施形態＞
図１は、第１実施形態のコンタクトレンズ型のウエアラブルデバイス１の図である。ハードウェアのバッテリーとして一般に使われているリチウムイオンバッテリーは人体に有害であり、コンタクトレンズ型のウエアラブルデバイスの用途に適していない。コンタクトレンズ型という性質上、瞳やレンズにやさしい材料で、視野への影響の少ない発電及び蓄電構造が望まれる。
【００１４】
キャパシタは蓄電池としては容量が小さいため、これまで電池の用途で用いられてこなかった。しかし、低消費電力のデバイスならば、電荷を蓄積したキャパシタによって動作させることが可能である。薄膜キャパシタはフィルム状またはシート状の誘電体を使用するため、レンズのような薄い形状のデバイスへの応用に適している。
【００１５】
そこで、実施形態では、レンズ内に薄膜キャパシタを用いた蓄電部を形成し、生体運動を利用した電磁誘導により自律的に発電と蓄電を行う。
【００１６】
図１（Ａ）は、実施形態のウエアラブルデバイス１の模式図、図１（Ｂ）は、図１（Ａ）の領域Ｐの拡大断面図である。ウエアラブルデバイス１は、発電及び蓄電機能付きのコンタクトレンズ１０と、コンタクトレンズ１０に電磁誘導を生じさせる磁性体３５とを含む。コンタクトレンズ１０には、中心部を除いて複数の導電線１２ａ、１２ｂが放射状に形成されている。コンタクトレンズ１０の上方で磁性体３５が矢印Ｍの方向に移動して導電線１２ａ、１２ｂを横切ることで、導電線１２ａ、１２ｂに誘導電流が流れる。図１（Ａ）では、コンタクトレンズ１０の中心部を除く中央領域に導電線１２ａが形成され、コンタクトレンズ１０の周縁領域に導電線１２ｂが形成されている。これは、コンタクトレンズ１０を着用した際に違和感のない外観を持たせるためであり、導電線１２ａと１２ｂを連続する一本の線として形成してもよい。コンタクトレンズ１０の中心部は瞳孔に対応する部分なので導電線１２ａ、１２ｂを配置しないのが望ましい。
【００１７】
コンタクトレンズ１０には、薄膜キャパシタ２０が内蔵され、磁性体３５の移動による電磁誘導で導電線１２ａ、１２ｂに電流が流れると、電荷が薄膜キャパシタ２０に蓄積される。薄膜キャパシタ２０は、誘電体膜１１と、誘電体膜１１の上面と下面に形成された電極膜１３ａ、１３ｂを有する。誘電体膜１１は、たとえばレンズを兼ねた高誘電体膜
である。電極膜１３ａ、１３ｂは、Ｔｉ（チタン），Ａｕ（金），Ａｇ（銀），Ｐｔ（白金），Ｃｕ（銅）など可視光に対して透過性を持つ金属の薄膜であり、厚さは３〜１５ｎｍ程度である。
【００１８】
導電線１２ａ、１２ｂは、図示しない層間絶縁膜を介して薄膜キャパシタ２０上に形成され、コンタクトビア等で薄膜キャパシタ２０の電極膜１３ａまたは１３ｂに電気的に接続されている。導電線１２ａ、１２ｂは、Ａｌ（アルミニウム）、Ｔｉ、Ａｕ、Ｃｕ、Ｔａ（タンタル）、Ｎｉ（ニッケル）などで形成され、磁性体３５の移動（磁界の変化）により内部に渦電流を十分に発生させることのできる厚さを有する。瞳の色に応じて、Ａｌの導電線１２ａ、１２ｂの表面をＴｉ，Ａｕ、Ｔａなどでコーティングし、窒化率を調整して窒化膜を形成することで、瞳の色に近づけることも可能である。なお、図示はしないが、コンタクトレンズ１０の外周部、あるいは薄膜キャパシタ２０や導電線１２ａ、１２ｂと異なる層に整流回路が形成されており、導電線１２ａ、１２ｂに生じた渦電流を直流に整流する。
【００１９】
薄膜キャパシタ２０と導電線１２ａ、１２ｂを、レンズ層１５で覆ってもよい。レンズ層１５は、たとえばアクリル樹脂など、親水性があり光透過性の高い樹脂膜やシリコンで形成される。レンズ層１５として樹脂膜を用いる場合は、あらかじめ半導体プロセス等で薄膜キャパシタ２０と導電線１２ａ、１２ｂを含む素子層を形成し、所定のコンタクトレンズ形状に成形された一対のレンズ層１５の間に素子層を挟み込んでもよい。
【００２０】
レンズ層１５を用いずに、薄膜キャパシタ２０の誘電体膜１１をコンタクトレンズとして用いる場合は、図２に示すように、硬化収縮率の異なる誘電体膜１１５ａと１１５ｂを放射状に交互に配置して接続し、電極膜１３ａ、１３ｂ、導電線１２ａ、１２ｂ、図示しない層間絶縁膜とコンタクトビア等を１８０℃以下の温度で形成した後に、２５０℃で熱処理を行う。硬化収縮率の異なる誘電体膜１１５ａと１１５ｂは、収縮率の違いにより球面形状に変形する。硬化収縮率を選択することで、球面の曲率を所望の値にすることができる。
【００２１】
図３は、ウエアラブルデバイス１の装着例を示す。実施形態では、電磁誘導を生じさせる磁性体３５を疑似まつ毛３０で実現する。疑似まつ毛３０は、円弧状の装着部３２と、装着部３２から延びる磁性体まつ毛３１を有する。磁性体まつ毛３１は、磁性粉末やナノ磁性粒子をエポキシ樹脂等で接着した高磁性材料で形成される。
【００２２】
コンタクトレンズ１０の装着者が瞬きをすると、磁性体まつ毛３１が速度ｖで矢印の方向に移動する。磁性体まつ毛３１がコンタクトレンズ１０に形成された導電線１２（図１参照）を横切ると、導電線１２内の磁束の変化により磁場と垂直な方向に誘導電流が流れる。瞬きによる磁性体まつ毛３１の往復運動で導電線１２に交流電流が流れ、整流後の電荷が薄膜キャパシタ２０に蓄積される。
【００２３】
ここで、瞬きによる起電力Ｐは、以下の式で表される。
【００２４】
【数１】
2016126183.tif 000003
式（１）は、瞬き１回（１サイクル）当たりの起電力ｐ[w]を表わす。式（１）において、ｎは磁性体まつ毛３１が通過する導電線１２の本数、ｃは誘導電流効率係数、ΔΦは磁束変化量[Wb]、Δｔは瞬き１サイクルの時間、すなわち磁性体まつ毛３１の移動時間[s]、Ｂは磁束密度[T]、ｌは磁束が横切る距離（この例では導電線１２の長さ）[m]、ｖは磁束が導電線１２を横切る速度[m/s]、Ｒは導電線１２の配線抵抗[Ω]である。
【００２５】
磁束変化量ΔΦは式（２）で表わされ、配線抵抗Ｒは式（３）で表される。式（３）のρは抵抗率[Ωm]、Ａは配線断面積[m2]である。
【００２６】
１分間の瞬き回数をｆとすると、起電力Ｐ[Wh]は式（４）で表される。起電力Ｐを向上するには、磁性体まつ毛３１を磁束密度の高い材料で作製するのが望ましい。また、磁性体まつ毛３１が横切る導電線１２の本数を増やし、抵抗を下げるのが望ましい。
【００２７】
起電力Ｐは、瞬き回数ｆに比例する。瞬き回数ｆは、成人男性で２０回／分、成人女性で１５回／分、子供で１０回／分とほぼ決まっており、磁束変化量ΔΦを大きくするために瞬き回数を増やすことは期待できない。また、コンタクトレンズ１０のサイズは直径約１０ｍｍであり、磁束変化量ΔΦを大きくするために距離ｌを大きくすることも困難である。そこで、導電線１２の配線抵抗を下げ、誘電電流効率ｃを高めることが望ましい。
【００２８】
図４は、実施形態のウエアラブルデバイス１の起電力を示すグラフである。コンタクトレンズ１０上に、導電線１２として長さ（ｌ）が５ｍｍ、幅（Ｗ）が１００μｍ、厚さ（Ｔ）が１ミクロンのＣｕ配線を１５７本、放射状に形成する。導電線１２の一本あたりの配線抵抗は１Ωである。実験のための磁性体３５（図１参照）として、磁束密度０．１８Ｔのフェライト磁石と、磁束密度０．２５Ｔのアルニコ（Al-Ni-Co）磁石と、磁束密度０．５Ｔのネオジウム磁石を用いる。瞬き速度、すなわち磁性体３５の移動速度ｖを１００ｍ／ｓとする。子供、成人男女を想定し、瞬き回数が１０回／分、１５回／分、２０回／分の場合を測定する。
【００２９】
アルニコ磁石を使用した場合の誘導電流は４４μＡｈ〜８８μＡｈである。ネオジウム磁石を使用した場合の誘導電流は１．８ｍＡｈ〜３．５ｍＡｈである。このときの誘導電流効率は約３０％である。
【００３０】
図５は、種々の通信規格によるデータレート（Ｍｂｐｓ）と消費電力（ｍＷ）の関係を示すグラフである。ウエアラブルデバイス１のコンタクトレンズ１０にアンテナ回路を形成して通信機能を持たせる場合、より少ない消費電力で伝送できるのが望ましい。高い伝送レートを求めなければ、ＢＴＬＥ（Bluetooth Low Energy）やＺｉｇＢｅｅ（登録商標）等の通信規格を用いて低消費電力の通信が可能である。たとえば、データレート１０ｋｂｐｓで０．１ｍＷ〜０．５ｍＷの低消費電力通信が可能である。
【００３１】
図４に戻って、１時間当たりの通信を考えると、ＢＴＬＥ規格の場合、アルニコ磁石の場合は平均２０ｋｂｐｓの通信、ネオジウム磁石の場合は平均６０ｋｂｐｓの通信が可能である。
【００３２】
図６は、ウエアラブルデバイス１にアンテナ機能を持たせた変形例を示す。図６（Ａ）のコンタクトレンズ１０Ａには、蓄電素子（薄膜キャパシタ）２０と、誘導回路（導電線）１２の他に、制御回路４１と、アンテナ４２と、センサー４３と、記憶回路４４が形成されている。コンタクトレンズ１０と磁性体まつ毛３１と組み合わせて、ウエアラブルセンサーデバイス１Ａを構成する。
【００３３】
制御回路４１、アンテナ４２、センサー４３、記憶回路４４は、薄膜キャパシタ２０や導電線１２が形成された層と異なる層や、同じ層の異なる領域に半導体プロセスを用いて形成することができる。たとえば、センサー４３をコンタクトレンズ１０Ａの凹面側に形成し、アンテナ４２を導電線１２が形成されていないコンタクトレンズ１０Ａの外周領域に形成してもよい。センサー４３は、涙の分泌動態や、涙に含まれる血液成分中のブドウ糖（グルコース）濃度等を計測する。計測結果は、制御回路４１により記憶回路４４に保存される。制御回路４１は、保存された計測結果を所定のタイミングでアンテナ４２から外部機器に送信する。
【００３４】
コンタクトレンズ型のウエアラブルセンサーデバイス１Ａに通信機能を持たせる場合、低消費電力の近距離通信が好ましい。したがって、無線機能を有する外部機器を、メガネ、ヘッドフォン、イヤリング、バンダナ、時計等に組み込んで、センサー４による計測結果を生体ログとして取得してもよい。
【００３５】
制御回路４１、アンテナ４２、センサー４３、記憶回路４４は、瞬きにより蓄電素子（薄膜キャパシタ）２０に蓄積された電力により動作する。図４及び図５を参照して説明したように、センサー４３による計測結果を外部機器に送信する場合、データ量はそれほど多くなく高速通信も必要ない。アルニコ磁石程度の透磁率を有する疑似まつ毛３０を用いて発電した電力で、測定データを外部機器へ無線送信することができる。
【００３６】
図６（Ｂ）のコンタクトレンズ１０Ｂには、蓄電素子（薄膜キャパシタ）２０と誘導回路（導電線）１２の他に、制御回路４１と、アンテナ４２が形成されている。図６（Ｂ）の構成はセンサーを有しないが、瞬きが所定回数行われて一定量の電荷が蓄積されたことをトリガとして信号が送信される。すなわち、所定回数の瞬きが行われたことをセンサ情報として送信する。制御回路４１は、一定の誘導起電力が得られときに、アンテナ４２から外部機器に信号を送信する。外部機器で信号受信のタイミングを見ることで、瞬きの頻度情報を取得することができる。後述するように、瞬き回数は生体ログとしてヘルスケア解析に用いることができる。
＜第２実施形態＞
図７〜９を参照して第２実施形態のウエアラブルデバイス２を説明する。図７は、第２実施形態のウエアラブルデバイス２で用いられるコンタクトレンズ５０の概略図である。コンタクトレンズ５０には、複数の導電線５２が放射状に形成されている。各導電線５２はジグザグに形成され、コンタクトレンズ５０の半径方向に沿った導電線５２の長さをｌとする。導電線５２は、磁性体３５の移動方向Ｍと水平になる成分をなるべく有しないのが望ましく、のこぎり歯や三角波の形状に形成される。図７（Ｂ）の例では、６０°の角度で折れ曲がるのこぎり歯状の配線を用いている。
【００３７】
図７の構成は、図８に示す第１実施形態の配線形状と比較して、誘導電流効率を向上することができる。図８のコンタクトレンズ１０では、直線の導電線１２が放射状に配置され、磁束の移動方向（すなわち瞬き方向）Ｍと平行または平行に近い角度で延びる導電線１２には、誘導電流が流れない。磁束の移動方向Ｍと直交または９０°に近い角度で交差する導電線１２の領域Ｒが、起電力の生成に寄与する。
【００３８】
これに対し、図８では各導電線５２がジグザグ形状を有して放射状に配置される。導電線５２の長さｌの方向が磁束の移動方向Ｍと平行な場合でも、磁束の移動方向と交差する配線成分５２ａを有する。したがって、コンタクトレンズ５０の全周方向にわたって起電力の生成に寄与する領域Ｒを確保することができる。
【００３９】
図７（Ｂ）では、導電線５２は、コンタクトレンズ５０の半径方向に対して３０°の角度で延びる配線成分５２ｂと、配線成分５２に対して６０°の角度で折れ曲がる配線成分５２ａを有して、ｎ回折れ曲がる。コンタクトレンズ５０の半径方向に沿った導電線５２の長さをｌとすると、一つの山の長さはｌ／ｎ、配線成分５２ａの長さは１／√３ｎとなり、ほぼ１／２ｎである。導電線５２のうち起電力に寄与するのは、長さｌのほぼ半分（ｎ×ｌ／２ｎ）でありこれに応じた起電力が発生する。また、磁束が導電線１２の長手方向と垂直な方向に往復する場合は、ｌ／ｎに応じた起電力が発生する。理論計算上の誘導電流効率は８０％となる。
【００４０】
図９は、第２実施形態の構成の効果を示す図である。第１実施形態と同じ条件で、コンタクトレンズ５０上に、幅（Ｗ）が１００μｍ、厚さ（Ｔ）が１μｍ、コンタクトレンズ５０の半径方向の長さｌが５ｍｍのジグザグの導電線５２を形成し、磁性体３５を１００ｍ／ｓの速度（ｖ）で移動させる。第１実施形態のコンタクトレンズ１０のシミュレーション結果をケース１（「Ｃａｓｅ１」）とし、第２実施形態のコンタクトレンズ５０のシミュレーション結果をケース２（「Ｃａｓｅ２」）として示す。
【００４１】
瞬き回数１５回／分のときの起電力を比較すると、磁性体３５として磁束密度が０．５Ｔのネオジウム磁石を用いた場合も、磁束密度０．２５Ｔのアルニコ磁石を用いた場合もケース２の起電力は、ケース１の起電力の３．７５倍に向上する。アルニコ磁石を用いた場合、通信レートは２０ｋｂｐｓから３００ｋｂｐｓに向上する。
【００４２】
第２実施形態のコンタクトレンズ５０を用いたウエアラブルデバイス２を、図６のようにウエアラブルセンサーデバイスに拡張することもできる。この場合、発電及び蓄電効率が向上するので、センサー４３による測定頻度やアンテナ４２からの送信頻度を増やすことができる。
＜応用例＞
図１０と図１１は、実施形態のウエアラブルデバイスのヘルスケアへの応用例を示す。図１０は、図６（Ｂ）のウエアラブルセンサーデバイス１Ｂからの信号周波数による生体情報解析の一例である。図１０では、薄膜キャパシタ２０の蓄電量が所定量を超えるたびにウエアラブルセンサーデバイス１Ｂから信号が取得される。瞬き１回あたりに生成される誘導電流はほぼ同じであるから、瞬きが所定回数行われる都度、送信される。図１０の例では、１回の瞬きで７．８μＷの誘導電力が得られ、４０μＷを超えると１回の送信が行われる。ＺｉｇＢｅｅ（登録商標）で１ｋｂｐｓの通信レートで信号送信を行う場合、矢印で示すように、瞬き５回ごとにウエアラブルセンサーデバイス１Ｂから信号が送信される。
【００４３】
生体が瞬きを行うタイミングは、性別や健康状態により異なることが報告されている。平常状態と緊張状態を比較すると、瞬き回数は緊張状態の場合に多い。瞬きの周波数を解析することで、心理状態をリアルタイムに計測することができる。図１０で、信号の送信タイミングが早い区間は緊張状態を示し、送信タイミングが遅い区間はリラックス状態を示す。たとえば、平均の送信間隔が２５秒よりも短い場合に、ウエアラブルデバイス１Ｂの装着者が緊張状態にあるとみなすことができる。このシステムを用いることで、ほぼリアルタイムに精神状態を把握して、ヘルスケアに役立てることができる。
【００４４】
図１１は、瞬きの頻度を長期的に表示したグラフである。このグラフは、図１０と同様にウエアラブルデバイス１Ｂから一定回数の瞬きごとに送信される信号に基づいて作成されている。長期的にグラフ表示することで、視覚的かつ直截的に装着者の精神状態や、睡眠状態を把握することができる。
【００４５】
実施形態のウエアラブルデバイス１，１Ａ，１Ｂ、２から得られる情報を、ドライアイ予防、緊張緩和、居眠り防止に使用することもできる。また、ウエアラブルデバイスで用いられるコンタクトレンズ１０、５０の構成を、電源付き能動レンズデバイスに適用することもできる。たとえば、電圧によって色がかわる素子と電圧制御回路をコンタクトレンズ１０，５０に組み込み、紫外線（ＵＶ）カットモードとクリアモードを切り替え可能なコンタクトレンズ５０を実現してもよい。
【符号の説明】
【００４６】
１、１Ａ、１Ｂ、２  ウエアラブルデバイス
１０、１０Ａ、１０Ｂ、５０  コンタクトレンズ
１１  誘電体膜
１２、５２  導電線
１３ａ、１３ｂ  電極膜
１５  レンズ層
２０  薄膜キャパシタ
３０  疑似まつ毛
３１  磁性体まつ毛
３２  装着部
３５  磁性体
４１  制御回路
４２  アンテナ
４３  センサー
４４  記憶回路
【図１】
2016126183.tif 000004
【図２】
2016126183.tif 000005
【図３】
2016126183.tif 000006
【図４】
2016126183.tif 000007
【図５】
2016126183.tif 000008
【図６】
2016126183.tif 000009
【図７】
2016126183.tif 000010
【図８】
2016126183.tif 000011
【図９】
2016126183.tif 000012
【図１０】
2016126183.tif 000013
【図１１】
2016126183.tif 000014